(57)【要約】【課題】居住性の良いカプセルベッドを提供する。【解決手段】所定長さの複数本の金属製押し出し材であるフレーム構成要素を備え、前後左右方向に水平配置される前記フレーム構成要素である前記梁と、前記梁に直交して鉛直配置される前記フレーム構成要素である柱とを連結して、左右に隣接する複数の寝床を画成する矩形状の下層階フレーム上に、下層階の部屋に対し左右にオフセットする１以上の部屋を画成する矩形状の上層階フレームが積層一体化されて、上層階と下層階の部屋が千鳥配置となるように構成され、前記上層階フレームと前記下層階フレームは、前記上層階フレームの床および前記下層階フレームの天井を画成する、前記寝床構造体の外周に沿って矩形状に水平配置配設された、前後左右４本の前記梁を介して上下方向に連結され、前記４本の梁の横断面積が前記上層階フレームおよび前記下層階フレームを構成するフレーム構成要素の横断面積のよりも大きい矩形状カプセル型寝床を提供する。【選択図】図１
2020133205.tif 000002
【特許請求の範囲】
【請求項１】
所定長さの複数本の金属製押し出し材であるフレーム構成要素を備え、前後左右方向に水平配置される前記フレーム構成要素である前記梁と、前記梁に直交して鉛直配置される前記フレーム構成要素である柱とを連結して、左右に隣接する複数の寝床を画成する矩形状の下層階フレーム上に、下層階の部屋に対し左右にオフセットする１以上の部屋を画成する矩形状の上層階フレームが積層一体化されて、上層階と下層階の部屋が千鳥配置となるように構成された矩形状カプセル型寝床であって、
前記上層階フレームと前記下層階フレームは、前記上層階フレームの床および前記下層階フレームの天井を画成する、前記寝床構造体の外周に沿って矩形状に水平配置配設された、前後左右４本の前記梁を介して上下方向に連結され、
前記４本の梁の横断面積が前記上層階フレームおよび前記下層階フレームを構成するフレーム構成要素の横断面積のよりも大きいことを特徴とする矩形状カプセル型寝床。
【請求項２】
前記梁と前記柱とが三方向直交配置される角部には固定部材が配置され、
前記固定部材は、水平部と前記水平部に直交する鉛直部を有するＴ字型またはＬ字型の金属製平板で、
前記固定部材の厚み方向に延伸する、前記三方向に直交配置される前記梁及び前記柱の内の第１の梁の端面に、前記固定部材の第１面の前記水平部と前記水平部の交差部が当接して固定され、
前記固定部材の前記第１面とは裏面側の第２面に、前記水平部と前記鉛直部の延伸方向に合わせて、前記第１の梁に直行して二方向に配置される前記梁及び前記柱の側面が当接して固定される、
ことを特徴とする請求項１に記載の矩形状カプセル寝床。
【請求項３】
前記梁及び前記柱が直交配置される角部の内側には、補助部材が配置され、
前記固定補助部材は、側面視略Ｌ字形状で、前記梁の上面又は下面に沿って当接する、水平方向に伸びる底面部と、前記柱の側面に当接する、前記底面部の端部に鉛直方向に伸びる側面部とを有し、
前記側面部の上端部には、前記寝床を区画するパネルを保持する保持部が形成されている、
ことを特徴とする請求項１または請求項２に記載の矩形状カプセル寝床。
【発明の詳細な説明】
【技術分野】
【０００１】
本願発明は寝室が千鳥配置されるカプセルベッドに関する。
【背景技術】
【０００２】
特許文献１のカプセルベッドは寝室が千鳥配置された構成である。カプセルベッドの骨格をなす桁、梁、柱を備え、これらによって各寝室が画成されている。
【先行技術文献】
【特許文献】
【０００３】
【特許文献１】特開２０１８−３５５１６号
【発明の概要】
【発明が解決しようとする課題】
【０００４】
しかし、このような千鳥配置の構成では上層の柱が下層の柱とは左右方向にずれて配置されることから、ガタつきやすく、居住性が悪いという問題があった。
【０００５】
本発明はこれを鑑みてなされたものであり、その目的は、カプセルベッドの居住性の向上である。
【課題を解決するための手段】
【０００６】
このため、本開示の矩形状カプセル型寝床のある態様では、所定長さの複数本の金属製押し出し材であるフレーム構成要素を備え、前後左右方向に水平配置される前記フレーム構成要素である前記梁と、前記梁に直交して鉛直配置される前記フレーム構成要素である柱とを連結して、左右に隣接する複数の寝床を画成する矩形状の下層階フレーム上に、下層階の部屋に対し左右にオフセットする１以上の部屋を画成する矩形状の上層階フレームが積層一体化されて、上層階と下層階の部屋が千鳥配置となるように構成された矩形状カプセル型寝床であって、前記上層階フレームと前記下層階フレームは、前記上層階フレームの床および前記下層階フレームの天井を画成する、前記寝床構造体の外周に沿って矩形状に水平配置配設された、前後左右４本の前記梁を介して上下方向に連結され、前記４本の梁の横断面積が前記上層階フレームおよび前記下層階フレームを構成するフレーム構成要素の横断面積のよりも大きくなるよう構成した。
【０００７】
この態様によれば、上層階フレームと下層階フレームとを連結する荷重の係る重要な部分の構成部材が他よりも太くなり、全体の剛性が上がってガタつきや揺れを抑制でき、居住性を向上させることができる。
【０００８】
またある態様では、  前記梁と前記柱とが三方向直交配置される角部には固定部材が配置され、前記固定部材は、水平部と前記水平部に直交する鉛直部を有するＴ字型またはＬ字型の金属製平板で、前記固定部材の厚み方向に延伸する、前記三方向に直交配置される前記梁及び前記柱の内の第１の梁の端面に、前記固定部材の第１面の前記水平部と前記水平部の交差部が当接して固定され、前記固定部材の前記第１面とは裏面側の第２面に、前記水平部と前記鉛直部の延伸方向に合わせて、前記第１の梁に直行して二方向に配置される前記梁及び前記柱の側面が当接して固定されるよう構成した。
【０００９】
この態様によれば、固定部材が、柱や梁の内側、即ち部屋の内側へ突出することなく両者を固定するため、寝床の空間を広くとることができる。
【００１０】
またある態様では、前記梁及び前記柱が直交配置される角部の内側には、補助部材が配置され、前記固定補助部材は、側面視略Ｌ字形状で、前記梁の上面又は下面に沿って当接する、水平方向に伸びる底面部と、前記柱の側面に当接する、前記底面部の端部に鉛直方向に伸びる側面部とを有し、前記側面部の上端部には、前記寝床を区画するパネルを保持する保持部が形成される構成した。
【００１１】
この態様によれば、梁と柱の固定の補助及びパネル保持の両方の機能を一つの固定補助部材で担うことができるため、作業性が向上する。
【発明の効果】
【００１２】
以上の説明から明らかなように、本開示の構成によれば、カプセルベッドの居住性が向上する。
【図面の簡単な説明】
【００１３】
【図１】実施の形態に係るカプセルベッドの外観構成を示す斜視図である。
【図２】同カプセルベッドのフレーム構造の概略を示す斜視図である。
【図３】フレーム結合構造を説明するための分解斜視図である。
【図４】図３の結合状態を示す正面斜視図である。
【図５】図３の結合状態およびパネル配置を示す背面斜視図である。
【図６】ブラケットの構造を説明するための斜視図である。
【図７】ブラケットの構造及びパネル取付け状態を説明するための正面図である。
【発明を実施するための形態】
【００１４】
以下、本発明の好適な実施形態を、図面を参照しながら説明する。実施の形態は、発明を限定するものではなく例示であって、実施の形態に記述されるすべての特徴やその組み合わせは、必ずしも発明の本質的なものであるとは限らない。
【００１５】
（実施形態）
図１は本発明の実施の形態に係るカプセルベッド１を示す。カプセルベッド１は、利用者が宿泊するためのカプセル状の寝室２が左右方向に複数並び、さらに上下方向にも複数積み重ねられ、各寝室は千鳥配置されている構成である。図１には一例として、上層と下層を備えた上下二層構成で、下層では二つの寝室２ａ，２ｂが左右方向に並設され、上層では一つの寝室２ｃが、下層の寝室２ａ，２ｂとは左右方向に半個分オフセットされた中間位置に配置された構成を示す。配置される空間に合わせて、上下方向に三層以上としてもよく、また左右方向に並ぶ寝室の数はこの実施形態の数に限定されない。
【００１６】
カプセルベッド１は、背面を含めた三方の側面を側面パネル２１で閉じられ、上面を天井パネル２２で閉じられ、底面を底面パネル２３で閉じられ、正面にはフロントパネル２４ａ，２４ｂが取り付けられ、全体として矩形状をなしている。ここで各パネルは金属の複合板、あるいは木製の板材などで構成される。各寝室も、区画パネル２５でそれぞれ区切られ、上層の寝室にも底面パネル２３、下層の寝室にも天井パネル２２が配置されている。それぞれのパネルは後述のフレーム７に固定されている。各寝室は上記パネルにて形成されている。
【００１７】
寝室２ａ，２ｂ，２ｃの前側には、利用者が出入りする出入り口として機能する開口部が設けられている。利用者はこの開口部より寝室２ａ，２ｂ，２ｃ内へアクセスする。開口部の近傍には、カーテンまたはロールブラインド等の遮蔽部材を取り付けることができる。当該遮蔽部材を開け閉めすることにより寝室２ａ，２ｂ，２ｃ内部を目隠しでき、利用者のプライバシーを確保できる。
【００１８】
カプセルベッド１は、上層の寝室２ｃの利用者のためにステップ３を備える。ステップ３は下層の寝室２ａ，２ｂの間の前面に突設されており、寝室２ｃの利用者はステップ３を登り、寝室２ｃ前面の左右に取付けられた手すり４を掴んで、難なく寝室２ｃへとアクセスできる。通常カプセルベッドは、上層の寝室数と下層の寝室数が等しく、下層の寝室の配置がそのまま上層に重ねられた構成であるため、上層の寝室利用者は、寝室の間の前面に設けられたステップを上がり、横又は斜めに移動しなければならず、寝室の出入りに難があった。カプセルベッド１は寝室が千鳥配置されているため、ステップ３を寝室２ｃ出入り口のほぼ真下に配置でき、上層の寝室２ｃへも出入りが容易となっている。
【００１９】
また寝室２ａ，２ｂ，２ｃの前面には、利用者の目につきやすい高さに、ナンバープレート５ａ，５ｂ，５ｃが配置されている。このナンバープレート５ａ，５ｂ，５ｃは、寝室２ａ，２ｂ，２ｃのメインスイッチであり、ナンバープレート５ａ，５ｂ，５ｃが押されると、内蔵の発光ダイオードが点灯してＯＮ状態を知らせるとともに、寝室内に電気が供給され、電気機器が使用できる状態となる。
【００２０】
寝室が千鳥配置されるため、上層の寝室２ｃの左右両端にはハーフサイズの小部屋が形成されるが、これらは保守用品、清掃用品、空調設備などの収納に用いられる。
【００２１】
（骨格構造）
図２は、カプセルベッド１の骨格構成の概略を示している。寝室の側面、上面、底面を成すパネルや内装品などが取り付けられる前の状態を示す。
【００２２】
カプセルベッド１は、ベース部材３１ａ〜３１ｆ、下層支柱３２ａ〜３２ｆ、下層梁３３ａ〜３３ｇ、上層支柱３５ａ〜３５ｈ、上層梁３４ａ〜３４ｊを備える。これら部材がカプセルベッド１のフレーム７として、カプセルベッド１の骨格をなす。
【００２３】
フレーム７は、全て例えばアルミニウム材や鋼材などの金属の押出し成形品であり、フレーム７を構成する各部材の長手方向に直交する横断面形状は、長手方向のどの位置においても同一となっている。本実施形態においては、フレーム７は、後述する下層梁３３ａ、３３ｃを除いて、全て同一のアルミニウム製の押出し材により構成され、フレーム７の各部材はそれぞれの長さだけが異なる仕様となっている。このため、寝室のサイズや寝室数変更などの要求に対して、新たに専用の部品を一から設計する必要はなく、押出し材の長さを設定するのみで対応できるため、設計変更への対応が比較的容易である。
【００２４】
図２に示すように、ベース部材３１ａ〜３２ｆは、カプセルベッド１が配置される床面に接地する。左右方向に伸びるベース部材３１ａを基準として、ベース部材３１ｂが右側にその長さを延伸するように列設される。ベース部材３１ｅ，３１ｄは、ベース部材３１ａ，３１ｂと前後方向に対向して配置される。ベース部材３１ｆ，３１ｇ，３１ｃは、それぞれベース部材３１ａ，３１ｂ，３１ｅ，３１ｄの端同士を繋ぐように、前後方向に平行に左から順に配置される。ベース部材ａ〜３２ｆにより、カプセルベッド１の底面が画成される。
【００２５】
ベース部材３１ａ〜３１ｆの接点である六ヶ所には、前方左から下層支柱３２ａ，３２ｂ，３２ｃ、後方左から下層支柱３２ｆ，３２ｅ，３２ｄが配置される。下層支柱３２ａ〜３２ｆは鉛直に配置され、上層の構造を支える柱である。
【００２６】
下層支柱３２ａ〜３２ｆの上端部には、左右方向に伸びる下層梁３３ａ、３３ｃが前後方向に対向して配置される。ベース部材３１ａ，３１ｂは下層支柱３２ｂにより左右に分割された構成であったが、下層梁３３ａ，３３ｃは、カプセルベッド１の左端から右端まで伸びる一本の部材で構成され、さらに他のフレーム７の部材よりも断面積が大きな部材で構成される。
【００２７】
下層梁３３ａ、３３ｃの左右の端点に、前後方向に伸びる下層梁３３ｄ，３３ｂが左右方向に対向して配置され、下層梁３３ｄ，３３ｂ間に等間隔に下層梁３３，３３ｆ，３３ｇが並列して配置される。下層梁３３ｂ，３３ｄは、断面積の大きな下層梁３３ａ，３３ｃに合わせて押出し材を二本上下に重ねて用いている。
【００２８】
下層梁３３ａ，３３ｂ，３３ｃ，３３ｄは、カプセルベッド１の外周に沿って矩形状に配設され、下層の構造体の天井及び上層の構造体の天井を画成する。下層梁３３ａ，３３ｂ，３３ｃ，３３ｄを介して上層の構造体と下層の構造体が上下方向に連結される。
【００２９】
下層梁３３ａ，３３ｃに載置されて、上層支柱３５ａ〜３５ｈが配置される。上層支柱３５ａは下層梁３３ａの左端に、上層支柱３５ｄは下層梁３３ｂの右端に、それぞれ立設される。寝室が千鳥配置されることから、上層支柱３５ｂは下層梁３３ａ上の下層支柱３２ａ，３２ｂの中間位置に配置され、寝室２ｃの出入り口となるため、下層支柱３２ｂ上には下層支柱は配置されない。同様に、上層支柱３５ｃが、下層支柱３２ｂ，３２ｃの間上に配置される。また、上層支柱３５ａ，３５ｂ，３５ｃ，３５ｄに前後方向に対向して、下層梁３３ｃ上に、上層支柱３５ｈ，３５ｇ，３５ｆ，３５ｅが配置される。
【００３０】
さらに、上層支柱３５ａ，３５ｂ，３５ｃ，３５ｄの上端部には前後方向に伸びる上層梁３４ｈ，３４ｉ，３４ｊ，３４ｄが配置され、左右方向には上層梁３４ａ，３４ｂ，３４ｃが並設され、これに前後方向に対向して上層梁３４ｇ，３４ｆ，３４ｅが配置される。
【００３１】
フレーム７により、各寝室が画成される。即ち、寝室２ａは、ベース部材３１ａ，３１ｆ，３１ｇ，３１ｅ、下層支柱３２ａ，３２ｂ，３２ｅ，３２ｆ、下層梁３３ａ，３３ｄ，３３ｆ，３３ｃによって画成される。寝室２ｂは、ベース部材３１ｂ，３１ｃ，３１ｇ，３１ｄ、下層支柱３２ｂ，３２ｃ，３２ｄ，３２ｅ、下層梁３３ａ，３３ｂ，３３ｆ，３３ｃによって画成される。寝室２ｃは、下層梁３３ａ，３３ｅ，３３ｇ，３３ｃ、上層支柱３５ｂ，３５ｃ，３５ｆ，３５ｇ、上層梁３４ｂ，３４ｊ，３４ｆ，３４ｉによって画成される。
【００３２】
寝室が千鳥配置されるカプセルベッドでは、各寝室の柱も千鳥配置せざるをえず、柱は上層と下層で分割されて左右方向にずれて配置されため、全体の強度が下がり、揺れが発生し易くなり、利用者の移住性の低下につながっていた。本実施形態では、上層と下層の境界となり両者を結合する下層梁３３ａ，３３ｂ，３３ｃ，３３ｄに、その横断面が他の部材の横断面よりも大きな部材を用いて、全体の剛性を高めて揺れやガタつきを防止し、居住性を向上させた。
【００３３】
本実施形態では、例えばベース部材３１ａには横断面が４０ｍｍ×４０ｍｍの押出し材を使用し、下層梁３３ａ，３３ｃには横断面が４０ｍｍ×８０ｍｍの押出し材を使用し、下層梁３３ｂ，３３ｄでは横断面が４０ｍｍ×４０ｍｍの押出し材を二本上下に重ねて使用している。下層梁３３ａ，３３ｂ，３３ｃ，３３ｄの構成には断面積が他部位の断面積二倍の押出し材を使用して、カプセルベッド１の強度を向上させている。
【００３４】
本実施形態では上下二層の構成だったが、さらに積層される場合においても、上層と下層との境に使用される梁に断面積の大きな押出し材を使用することで、全体の剛性を高めることができる。また、下層梁３３ａ，３３ｃも下層梁３３ｂ，３３ｄと同様に、押出し成形品を複数使用することで横断面の面積を増加させてもよく、また下層梁３３ｂ，３３ｄにも下層梁３３ａ，３３ｃと同様に断面積の大きな押出し成形品を一本だけ使用してもよい。
【００３５】
さらに本実施形態では下層梁３３ａ，３３ｃに、上層梁３４ａ〜３４ｊ、上層支柱３５ａ〜３５ｈが載置され、上層全体の構造を下層梁３３ａ，３３ｃで支える構成としている。剛性の高い部材に上層の構造を固定して全体の強度を向上することで、揺れを防止して利用者の居住性を向上させている。
【００３６】
（フレーム結合構造）
次に、図３〜図５を用いてフレーム７の結合構造について説明する。一例として、図１Ａ部の上層梁３４ａ，３４ｂ，３４ｉ、及び上層支柱３５ｂの結合状態を示す。図３がＡ部分解斜視図、図４がＡ部のフレーム結合状態を示す説明図、図５がフレームに対するパネルの配置を示すための説明図である。図３〜図５においては、説明の都合上、上層梁３４ａ，３４ｂ，３４ｉ、及び上層支柱３５ｂは端部を省略している。また図５はパネル配置される位置を示すのみで、パネルを固定する部材やパネルの端部は省略している。
【００３７】
図４に示すように、Ａ部は、隣接して左右方向に伸びる二本の上層梁３４ａ，３４ｂに、上下方向に伸びる上層支柱３５ｂが下方から当接して形成されるＴ字構造体に、さらに前後向に伸びる上層梁３４ｉが結合されてなる直交三方向結合部である。三方向に直交する上層梁３４ａ，３４ｂ，３４ｉ、及び上層支柱３５ｂは、１つのジョイントプレート１０で結合されている。
【００３８】
上層梁３４ａ，３４ｂ，３４ｉ、及び上層支柱３５ｂは、全て同じ押出し材から構成され、四方の側面には延伸方向に沿ったガイド溝を備え、さらに略正方形な端面の四隅に、延伸方向に沿った孔Ｈが形成されている。ガイド溝Ｇにはナットがスライド可能に保持される。
【００３９】
ジョイントプレート１０は、Ｔ字型の金属製平板で、左右方向に伸びる水平部１０ｃと上下方向に伸びる鉛直部１０ｄで構成される。水平部１０ｃと鉛直部１０ｄの幅はフレーム７の部材の幅（本実施形態では４０ｍｍ）と同等かまたは少し小さくなるように構成されている。
【００４０】
まず、ジョイントプレート１０の厚み方向に延伸する上層梁３４ａを、ジョイントプレート１０裏面（後方側）に結合する。上層梁３４ａが結合する水平部１０ｃの中央には、上述の上層梁３４ａの孔Ｈの位置に対応した結合孔１０ａが四箇所形成されている。タップピン１１を、ジョイントプレート１０の表面（前方側）から結合孔１０ａを挿通して上層梁３４ｉの孔Ｈに挿着することで、ジョイントプレート１０を上層梁３４ａの端面に固定する。上層梁３４ａの孔は一部が開口しており、タップピン１１を挿入するだけで固定できる。結合孔１０ａには段差部が設けられており、タップピン１１の頭部はこの段差部に埋収され、上層梁３４ａを固定した状態で、タップピン１１の頭部はジョイントプレート１０の表面から突出しない。
【００４１】
次に、上層梁３４ａ，３４ｂ，及び上層支柱３５ｂを、ジョイントプレート１０表面（前方側）に固定する。ジョイントプレート１０の水平部１０ｃの左右端近傍と鉛直部１０ｄには、幅方向中央に挿通孔１０ｂが形成されている。ジョイントプレート１０を上層梁３４ａ，３４ｂ，及び上層支柱３５ｂを組み合わせてできるＴ字部に合わせて配置し、ジョイントプレート１０裏面側からボルト１２を、上層梁３４ａ，３４ｂ，上層支柱３５ｂのガイド溝内に配置されたナットに螺合することで、ジョイントプレート１０は上層梁３４ａ，３４ｂ，上層支柱３５ｂにも固定される。
【００４２】
図５に示すように、寝室２ｃを構成する天井パネル２２が上層梁３４ｂの下面と水平に配置され、区画パネル２５は上層梁３４ｉの側面と平行に配置される。
【００４３】
従来、直交する二本のフレームの固定には、角部に直角三角柱形状のコーナージョイントを用いて両者を固定するが、カプセルベッドの構造体にコーナージョイントを用いて固定すると、コーナージョイントが寝室内に突出するため、マスク部材を用いてこれを目隠しせねばならず、コーナージョイントの分だけ狭い寝室がさらに狭くなり居住性が低下するという問題があった。さらに、寝室の開口部の四隅にもコーナージョイントを使用せざるをえず、寝室の出入りの際に使用者がこれに躓き転倒するという問題があった。
【００４４】
ジョイントプレート１０を用いることで、三方向に直交するフレーム７も、寝室に突出することなく固定でき、利用者は安全に開口部から出入りすることが出来る。またコーナージョイントを用いた場合よりも、寝室を広く利用することができ、利用者はカプセルベッド１を快適に利用できる。
【００４５】
さらにコーナージョイントを使用すると直交すべきフレーム７が斜めにずれてしまい、直交固定が上手くできづらいという問題があった。ジョイントプレート１０は１つの部品で三方向のフレーム７を固定でき、また平面部分に当接して固定されることから、フレーム７が直交した状態で固定されやすい。水平方向にはタップピン１１を使用しており、作業性も良い。フレーム７のずれによるがたつきも抑制され、居住性も向上する。
【００４６】
本実施形態の上層梁３４ａ，３４ｂのように、ある方向においては二本に分割されて配置された三方向直交配置のフレーム７の角部においても、ジョイントプレート１０を使用でき、分割された二本を固定する役割も果たす。
【００４７】
またフレーム７の他部位の結合においても上記構造と同様であり、カプセルベッド１の角部、例えばベース部材３１ａ，３１ｆ、下層支柱３２ａの結合には、Ｌ字型のジョイントプレートを用いることで対応できる。
【００４８】
（ブラケットの構造）
また、本実施形態では、フレーム７の結合部にはブラケット４０が使用されている。このブラケット４０の構造について、図６を用いて説明する。一例として、図１のＢ部の、下層梁３３ａ，上層支柱３５ｂの固定を補強し、下層梁３３ｃ方向に延伸するブラケット４０を示す。なお、説明の都合上、図６においては、下層梁３３ａ，上層支柱３５ｂ、ブラケット４０及びパネル２５の端部を省略している。
【００４９】
ブラケット４０は金属製の押出し成形品であり、長手方向に直交する横断面形状は略Ｌ字形状で、水平部４０ａと、水平部４０ａの端部から上方に延びる鉛直部４０ｂから構成される。ブラケット４０はその角部が、直交するフレームの角部に合わせて配置される。図６においては、水平部４０ａは下層梁３３ａ上に載置され、鉛直部４０ｂが上層支柱３５ｂの側面に当接し、その長手方向を下層梁３３ａ及び上層支柱３５ｂに直交する前後方向に伸びる下層梁３３ｅに沿って配置される。図６は図１のＢ部、即ちブラケット４０の前方側端部の構造を示し、各後方側端部は省略しているが、ブラケット４０の後方側の端部は下層梁３３ｃの端部まで延伸しており、水平部４０ａの水平部４０ａの後方側は下層梁３３ｃに載置され、鉛直部４０ｂの後方側端部は上層支柱３５ｇの側面に当接する。ブラケット４０は下層梁３３ｅに沿って、前方端部と後方端部の両方を固定される。前後端部が同様の形態で固定されるため、代表してブラケット４０前方側端部の固定のみを示す。
【００５０】
ブラケット４０の前方端部には、水平部４０ａに一箇所、鉛直部４０ｂに二箇所、端面から所定幅オフセットされた位置に、貫通孔が形成されており（図示せず）、貫通孔が形成されており、ボルト４２がこの貫通孔に挿通して、下層梁３３ａ，上層支柱３５ｂのガイド溝Ｇに配置されたナットに螺合することにより、ブラケット４０は固定される。
【００５１】
水平部４０ａには、長手方向に沿って一段高く形成された階段部４０ｄが形成されている。階段部４０ｄの上面には、鉛直方向に開口した溝４０ｅが長手方向に沿って形成されている。溝４０ｅは断面開口部に対向する内フランジを有し、溝５０ａの開口部には弾性部材５０が係合している。弾性部材５０はゴム材等により構成され、横断面形状が略Ｉ字形状で一方向に長く形成され、溝５０ａの開口部を全長にわたって覆っている。
【００５２】
この弾性部材５０上に寝室２ａの床面パネルが載置され、さらにその上にマットレスが載置される。弾性部材５０が床面パネルの振動やがたつきを吸収するため、利用者は快適に睡眠をとることができる。
【００５３】
ブラケット４０の鉛直部４０ｂの上端には、区画パネル２５が保持されている。この区画パネル２５保持構造について図７を用いて説明する。図７は、上層支柱３５ｂ及びこれに固定される寝室２ｃの区画パネル２５近傍の正面図であり、区画パネル２５の固定構造を説明する説明図である。図７の下部は図２のＢ部（図６）に該当する。
【００５４】
図７に示すように、ブラケット４０の鉛直部４０ｂの上端部には、長手方向に直交する横断面形状が略Ｕ字形状である保持部４０ｃが形成されている。ここに中央の溝に区画パネル２５が嵌り保持される。ここで、保持部４０ｃの左側の第１面４０ｃ１は、鉛直部４０ｂの背面から突出して形成されており、一部が下層支柱３２ｂと干渉してしまうため、下層支柱３２ｂ部分の第１面４０ｃ１はグラインダーなどで削り取られている。
【００５５】
ここで、上層支柱３５ｂ部分の保持部４０ｃの右側の第２面４０ｃ２で区画パネル２５を上層支柱３５ｂ側面に押し付けながら、ブラケット４０は上層支柱３５ｂ固定される。第２面４０ｃ２は区画パネル２５に圧接してこれを保持するため、区画パネル２５はがたつきが発生しない。区画パネル２５の上方もブラケット４０同様に、横断面形状がクランク形状である保持部材６０が段差部６０ａで区画パネル２５を上層支柱３５ｂに押し付けながらネジ６１で上層支柱３５ｂに固定される。段差部６０ａを有するパネル押さえ６０を、区画パネル２５を上層支柱３５ｂに押し付けながらネジ６１で固定することにより、区画パネル２５のがたつきが抑制される。
【００５６】
従来、溝にパネルをはめ込むだけでは、僅かに生ずる隙間によってパネルが安定せずにがたつき、不快な音が発生させていた。このように構成することで、区画パネル２５をフレーム７の部材に安定して固定できるため、がたつきが解消して居住性が向上した。
【００５７】
ブラケット４０だけで、直交するフレーム７の固定補助、パネル保持、弾性部材５０の保持の三つの機能を備える。一つの部材に複数の役割を担わせ、部品点数を押さえることができ、作業工数も削減できる。
【００５８】
以上、本発明の好ましい実施形態や変形例について述べたが、上記の実施形態は本発明の一例であり、これらを当業者の知識に基づいて組み合わせることが可能であり、そのような形態も本発明の範囲に含まれる。
【符号の説明】
【００５９】
１  カプセルベッド
２ａ，２ｂ，２ｃ  寝室
７  フレーム
１０  ジョイントプレート
１０ｃ  水平部
１０ｄ  鉛直部
２５  区画パネル
３１ａ〜３１ｇ  ベース部材
３２ａ〜３２ｆ  下層支柱
３３ａ〜３３ｇ 下層梁
３４ａ〜３４ｊ  上層梁
３５ａ〜３５ｈ  上層支柱
４０  ブラケット
４０ａ  水平部
４０ｂ  鉛直部
４０ｃ  保持部
【図１】
2020133205.tif 000003
【図２】
2020133205.tif 000004
【図３】
2020133205.tif 000005
【図４】
2020133205.tif 000006
【図５】
2020133205.tif 000007
【図６】
2020133205.tif 000008
【図７】
2020133205.tif 000009